(57)【要約】  本出願は、軸に沿った長さを有し、Ｘ−勾配磁場コイル、Ｙ−勾配磁場コイル、およびＺ−勾配磁場コイルを含む円筒状の勾配磁場コイル組立体を含む磁気共鳴断層撮影（ＭＲＩ）システムのための勾配磁場コイル装置を開示する。勾配磁場コイル組立体は、さらに挿管用チャネルを含み、挿管用チャネルは軸から、長さの少なくとも一部に沿って半径方向に延在する。【選択図】図２
2017528233.tif 000002
【特許請求の範囲】
【請求項１】
軸に沿った長さを有し、Ｘ−勾配磁場コイル（１８０）、Ｙ−勾配磁場コイル（１９０）、およびＺ−勾配磁場コイル（２００）を含む円筒状の勾配磁場コイル組立体（５０）
を含み、
前記勾配磁場コイル組立体（５０）がさらに挿管用チャネル（１７０）を含み、前記挿管用チャネル（１７０）は軸から、長さの少なくとも一部に沿って半径方向に延在する、
磁気共鳴断層撮影（ＭＲＩ）システムのための勾配磁場コイル装置。
【請求項２】
前記挿管用チャネル（１７０）が前記勾配磁場コイル組立体（５０）の前記長さ全体に沿って延在する請求項１に記載の勾配磁場コイル装置。
【請求項３】
前記挿管用チャネル（１７０）が、前記勾配磁場コイル組立体（５０）の前記長さの一部のみに沿って延在する請求項１に記載の勾配磁場コイル装置。
【請求項４】
前記挿管用チャネル（１７０）が、前記Ｘ−勾配磁場コイル（１８０）と前記Ｙ−勾配磁場コイル（１９０）を貫くように半径方向に延在する請求項１に記載の勾配磁場コイル装置。
【請求項５】
前記Ｚ−勾配磁場コイル（２００）が主要な層（２０２）と遮蔽層（２０４）を含み、前記挿管用チャネル（１７０）が、前記主要な層（２０２）を貫くように半径方向に延在するが、前記遮蔽層（２０４）を貫くようには延在しない請求項４に記載の勾配磁場コイル装置。
【請求項６】
前記挿管用チャネル（１７０）が前記Ｘ−勾配磁場コイル（１８０）、前記Ｙ−勾配磁場コイル（１９０）、および前記Ｚ−勾配磁場コイル（２００）を貫くように半径方向に延在する請求項１に記載の勾配磁場コイル装置。
【請求項７】
前記Ｘ−勾配磁場コイル（１８０）、前記Ｙ−勾配磁場コイル（１９０）、および前記Ｚ−勾配磁場コイル（２００）が各々主要な層（１８２、１９２、２０２）と遮蔽層（１８４、１９４、２０４）を含み、前記挿管用チャネル（１７０）が前記主要な層（１８２、１９２、２０２）を貫くように半径方向に延在するが、前記遮蔽層（１８４、１９４、２０４）には延在しない請求項１に記載の勾配磁場コイル装置。
【請求項８】
前記勾配磁場コイル組立体（５０）が新生児の画像診断に合わせて大きさを定められる請求項１に記載の勾配磁場コイル装置。
【請求項９】
軸に沿った長さを有し、Ｘ−勾配磁場コイル（１８０）、Ｙ−勾配磁場コイル（１９０）、およびＺ−勾配磁場コイル（２００）を含む勾配磁場コイル組立体（５０）を含み、前記長さの少なくとも一部で前記勾配磁場コイル組立体（５０）が前記軸に垂直なＣ字形の断面を有する、
磁気共鳴断層撮影（ＭＲＩ）システムのための勾配磁場コイル装置。
【請求項１０】
前記Ｃ字形をした断面が前記勾配磁場コイル組立体（５０）の前記長さ全体に沿って延在する請求項９に記載の勾配磁場コイル装置。
【請求項１１】
前記勾配磁場コイル組立体（５０）が新生児の画像診断に合わせて大きさを定められる請求項９に記載の勾配磁場コイル装置。
【請求項１２】
磁場を形成するように構成された磁石、
患者配置エリア、および
挿管用チャネル（１７０）を含む前記患者配置エリアに隣接した勾配磁場コイル組立体（５０）を含む磁気共鳴断層撮影（ＭＲＩ）システム。
【請求項１３】
前記勾配磁場コイル組立体（５０）が軸に沿った長さを有し、Ｘ−勾配磁場コイル（１８０）、Ｙ−勾配磁場コイル（１９０）、およびＺ−勾配磁場コイル（２００）を含む、前記挿管用チャネル（１７０）が前記長さの少なくとも一部に沿って延在する請求項１２に記載のＭＲＩシステム。
【請求項１４】
前記挿管用チャネル（１７０）が前記勾配磁場コイル組立体（５０）の前記長さ全体に沿って延在する請求項１２に記載のＭＲＩシステム。
【請求項１５】
前記挿管用チャネル（１７０）が前記Ｘ−勾配磁場コイル（１８０）と前記Ｙ−勾配磁場コイル（１９０）を貫くように半径方向に延在する請求項１２に記載のＭＲＩシステム。
【請求項１６】
前記挿管用チャネル（１７０）が前記Ｘ−勾配磁場コイル（１８０）、前記Ｙ−勾配磁場コイル（１９０）、および前記Ｚ−勾配磁場コイル（２００）を貫くように半径方向に延在する請求項１２に記載のＭＲＩシステム。
【請求項１７】
前記Ｘ−勾配磁場コイル（１８０）、前記Ｙ−勾配磁場コイル（１９０）、および前記Ｚ−勾配磁場コイル（２００）が各々主要な層（１８２、１９２、２０２）と遮蔽層（１８４、１９４、２０４）を含み、前記挿管用チャネル（１７０）が前記主要な層（１８２、１９２、２０２）を貫くように半径方向に延在するが、前記遮蔽層（１８４、１９４、２０４）を貫くようには延在しない請求項１２に記載のＭＲＩシステム。
【請求項１８】
前記勾配磁場コイル組立体（５０）が新生児の画像診断に合わせて大きさを定められる請求項１２に記載のＭＲＩシステム。
【請求項１９】
軸に沿った円筒状で、前記軸に沿った長さを有する勾配磁場コイル組立体（５０）であって、Ｘ−勾配磁場コイル（１８０）、Ｙ−勾配磁場コイル（１９０）、およびＺ−勾配磁場コイル（２００）を含む勾配磁場コイル組立体（５０）
を含み、
前記勾配磁場コイル組立体（５０）が、一続きの外側の周と途切れている内側の周を含む、前記軸に垂直な断面を有し、前記内側の周の前記途切れている部分と前記一続きの外側の周との間で画定される挿管用チャネル（１７０）を有する、
磁気共鳴断層撮影（ＭＲＩ）システムのための勾配磁場コイル装置。
【請求項２０】
前記勾配磁場コイル組立体（５０）が新生児の画像診断に合わせて大きさを定められる請求項１９に記載の勾配磁場コイル装置。
【発明の詳細な説明】
【技術分野】
【０００１】
本明細書で開示される主題は、磁気共鳴断層撮影（ＭＲＩ）に関し、より具体的には、挿管された患者を画像診断するための勾配磁場コイルに関する。
【背景技術】
【０００２】
一般に、患者がＭＲＩのスキャンを受ける際の好ましい位置は、磁石ボアの中心にある。しかし、このことは、新生児や乳児などの患者が挿管されているとき困難をもたらす場合がある。現在、挿管された新生児の患者を画像診断する場合、チューブなどの挿管装置を収容するために、患者を磁石ボアのアイソセンターの下に配置しなければならない。そのため、ボア径の約３分の１が画像診断で利用されずにいる。これによって、劣悪な質の画像となり、臨床医が画像診断において完全な視野を利用することができないのである。そのため、所望の直径より長い磁石ボアが必要となり、ＭＲＩシステムにより多くの費用を費やすに至っている。
【０００３】
したがって、新生児の患者に接続される挿管装置を収容するための勾配磁場コイルは、画質の改善とコストの低下が望まれている。
【先行技術文献】
【特許文献】
【０００４】
【特許文献１】米国特許出願公開２０１３／０００２２５２号明細書
【発明の概要】
【０００５】
上述の短所、欠点および問題は、本明細書により対処される。それらは、以下の詳述を読んで把握することにより理解されよう。
【０００６】
実施形態で、磁気共鳴断層撮影（ＭＲＩ）システムのための勾配磁場コイル装置は、軸に沿った長さを有し、Ｘ−勾配磁場コイル、Ｙ−勾配磁場コイル、およびＺ−勾配磁場コイルを含む円筒状の勾配磁場コイル組立体を含む。勾配磁場コイル組立体は、さらに挿管用チャネルを含み、挿管用チャネルは軸から、長さの少なくとも一部に沿って半径方向に延在する。
【０００７】
別の実施形態で、磁気共鳴断層撮影（ＭＲＩ）システムのための勾配磁場コイル装置は、軸に沿った長さを有し、Ｘ−勾配磁場コイル、Ｙ−勾配磁場コイル、およびＺ−勾配磁場コイルを含む勾配磁場コイル組立体を含み、長さの少なくとも一部で勾配磁場コイル組立体が軸に垂直なＣ字形の断面を有する。
【０００８】
別の実施形態で、ＭＲＩシステムは、磁場を形成するように構成された磁石、患者配置エリア、および挿管用チャネルを含む患者配置エリアに隣接した勾配磁場コイル組立体を含む。
【０００９】
別の実施形態で、ＭＲＩシステムのための勾配磁場コイル装置は、軸に沿った円筒状で、軸に沿った長さを有する勾配磁場コイル組立体であって、Ｘ−勾配磁場コイル、Ｙ−勾配磁場コイル、およびＺ−勾配磁場コイルを含む勾配磁場コイル組立体を含む。勾配磁場コイル組立体は、一続きの外側の周と途切れている内側の周を含む、軸に垂直な断面を有し、内側の周の途切れている部分と一続きの外側の周との間で画定される挿管用チャネルを有する。
【００１０】
本発明のさまざまな他の特徴、目的、および利点は、添付の図面およびその詳細な説明から当業者に明らかになるであろう。
【図面の簡単な説明】
【００１１】
【図１】本開示の実施形態による例示的な磁気共鳴断層撮影（ＭＲＩ）システムの概略的なブロック図である。
【図２】本開示の第１の実施形態による勾配磁場コイル組立体の透視図である。
【図３】本開示の第２の実施形態による勾配磁場コイル組立体の透視図である。
【図４】本開示の第１の実施形態による勾配磁場コイル組立体の上面図である。
【図５】本開示の第２の実施形態による勾配磁場コイル組立体の上面図である。
【図６】本開示の実施形態による勾配磁場コイル組立体の断面図である。
【図７】本開示の別の実施形態による勾配磁場コイル組立体の断面図である。
【図８】本開示のさらに別の実施形態による勾配磁場コイル組立体の断面図である。
【図９】本開示の別の実施形態による勾配磁場コイル組立体の断面図である。
【発明を実施するための形態】
【００１２】
以下の詳細な説明で、部分を形成する添付の図面について言及し、また実践し得る特定の実施形態を例示により示す。これらの実施形態は、当業者が実施形態を実践することができるように十分に詳細に記述されている。また、他の実施形態を利用することもでき、実施形態の範囲を逸脱せずに、論理、機械、電気などの変更をすることができることは、理解するべきである。したがって、以下の詳細な説明は、本発明の範囲を限定するものとして解釈するべきではない。
【００１３】
図１は実施形態による例示的な磁気共鳴断層撮影（ＭＲＩ）システムの概略的なブロック図である。ＭＲＩシステム１０の操作はキーボードなどの入力デバイス１３、制御パネル１４、およびディスプレイ１６を含むオペレータコンソール１２で制御されている。コンソール１２はリンク１８を通して計算機システム２０と通信して、ＭＲＩのスキャンを規定して、得られる画像を表示して、画像に画像処理を行って、データと画像を保存するようにオペレータにインタフェースを提供する。計算機システム２０は、例えばバックプレーン２０ａを使うことによって提供されるような、電気および／またはデータ接続で互いと通信するいくつかのモジュールを含む。データ接続は直接つながったリンクであっても、光ファイバー接続や無線通信リンクなどであってもよい。計算機システム２０のモジュールは、画像処理プロセッサモジュール２２、ＣＰＵモジュール２４、およびメモリモジュール２６を含み、メモリモジュール２６は画像データのアレイを記憶するためのフレームバッファを含むことができる。代替の実施形態で、画像処理プロセッサモジュール２２は、ＣＰＵモジュール２４の画像処理機能に替えることができる。計算機システム２０は、保存用のメディアデバイス、永久またはバックアップ記憶装置またはネットワークにリンクさせる。また、計算機システム２０はリンク３４により別個のシステム制御計算機３２と通信することができる。入力デバイス１３はマウス、ジョイスティック、キーボード、トラックボール、タッチスクリーン、ライトワンド、音声制御、または任意の類似または同等の入力デバイスを含むことができ、そして対話型の幾何学的処方のために使うことができる。
【００１４】
システム制御計算機３２は電気接続および／またはデータ接続３２ａによって互いに通信する１セットのモジュールを含む。データ接続３２ａは直接つながったリンクであっても、光ファイバーの接続または無線通信リンクなどであってもよい。代替の実施形態で、計算機システム２０とシステム制御計算機３２のモジュールは同じ計算機システムまたは複数の計算機システムで実行することができる。システム制御計算機３２のモジュールは、ＣＰＵモジュール３６と、パルス発生器モジュール３８とを含み、これは通信リンク４０を通してオペレータコンソール１２に接続する。あるいは、パルス発生器モジュール３８は、スキャナ装置（例えば、共鳴用組立体５２）に一体にすることができる。システム制御計算機３２が、実行されるはずであるスキャンシーケンスを示すためにオペレータからコマンドを受信するのは、リンク４０を通してである。パルス発生器モジュール３８は、作り出されるＲＦパルスとパルスシーケンスのタイミング、強さ、および形状、ならびにデータ収集ウインドウのタイミングと長さを記述して命令、コマンド、および／または要求を送信することによって、所望のパルスシーケンスを展開する（すなわち、実行する）システムの要素を操作する。パルス発生器モジュール３８は、勾配磁場増幅器システム４２に接続して、スキャンの間に使われるはずである勾配磁場パルスのタイミングと形状を制御する勾配磁場波形と呼ばれるデータを作り出す。また、パルス発生器モジュール３８は、患者に取り付けられた電極からくるＥＣＧ信号などの、患者に接続したいくつかの異なったセンサーからくる信号を受信する生理学的収集制御器４４から患者のデータを受信することができる。パルス発生器モジュール３８は、患者の状態と磁石システムに関連する種々のセンサーからの信号を受信するスキャン・ルーム・インタフェース回路４６に接続する。また、患者配置システム４８が、スキャンのために望ましい位置に患者テーブルを動かすコマンドを受信するのはスキャン・ルーム・インタフェース回路４６を通してである。
【００１５】
パルス発生器モジュール３８によって作り出された勾配磁場波形はＧｘ、Ｇｙ、Ｇｚ増幅器から構成される勾配磁場増幅器システム４２に適用される。各勾配磁場増幅器は、収集した信号を空間的にコード化するために使われる磁場の勾配磁場パルスを生み出すための、全般的に５０と称する勾配磁場コイル組立体の対応する物理的な勾配磁場コイルを励起する。勾配磁場コイル組立体５０は、超伝導主要コイル５４を備える極性化する超伝導磁石を含む共鳴用組立体５２の一部を形成する。共鳴用組立体５２は、全身用ＲＦコイル５６か、表面または平行な画像診断コイル７６か、両方を含むことができる。ＲＦコイル組立体のコイル５６、７６は、送信と受信の両方、または送信のみ、または受信のみで構成することができる。患者または画像診断の対象７０は、共鳴用組立体５２の円筒状の患者画像診断ボリューム７２の中に配置することができる。システム制御計算機３２のトランスシーバモジュール５８は、ＲＦ増幅器６０によって増幅され、送信／受信スイッチ６２によってＲＦコイル５６、７６に接続されるパルスを作り出す。患者において励起した核が放出した、得られた信号は、同じＲＦコイル５６によって感知されて、送信／受信スイッチ６２から前置増幅器６４に接続することができる。あるいは、励起した核が放出する信号は、平行なコイルまたは表面コイル７６などの別個の受信コイルで感知することができる。増幅されたＭＲ信号が、トランスシーバ５８の受信セクションで復調されて、フィルターされて、デジタル化される。送信／受信スイッチ６２は、パルス発生器モジュール３８から信号によって制御されて、送信モードの間は電気的にＲＦ増幅器６０をＲＦコイル５６に接続し、受信モードの間は前置増幅器６４をＲＦコイル５６に接続する。また、送信／受信スイッチ６２は、別個のＲＦコイル（例えば、平行または表面コイル７６）が送信モードか受信モードで使えるようにしてもよい。
【００１６】
ＲＦコイル５６あるいは平行または表面コイル７６によって感知されたＭＲ信号は、トランスシーバモジュール５８がデジタル化し、システム制御計算機３２でメモリモジュール６６に転送する。典型的には、ＭＲ信号に対応しているデータのフレームは、その後画像を作成するために変換するまで、一時的にメモリモジュール６６に記憶される。アレイプロセッサ６８は、公知の変換方法、最も一般にはフーリエ変換を利用してＭＲ信号から画像を作成する。これらの画像は、メモリに記憶される計算機システム２０に、リンク３４を通して伝えられる。この画像データは、オペレータコンソール１２からの受信したコマンドに応答して、長期記憶で保存しても、画像処理プロセッサ２２でさらに処理して、オペレータコンソール１２に伝え、ディスプレイ１６に提示してもよい。
【００１７】
図２を参照すると、勾配磁場コイル組立体５０の透視図が、本開示の実施形態により示されている。勾配磁場コイル組立体５０は、実質的に円筒状で、長さＬと外径Ｒｏによって画定されている。軸Ａ−Ａ’が勾配磁場コイル組立体５０のアイソセンター１５１を通って延在する。
【００１８】
勾配磁場コイル組立体５０は、複数の勾配磁場コイル１５２を含む。外径Ｒｏは、アイソセンター１５１から複数の勾配磁場コイル１５２の外側まで延在している。内径Ｒｉは、アイソセンター１５１から複数の勾配磁場コイル１５２の内側まで延在している。この実施形態で、内径Ｒｉは外径Ｒｏより短い。
【００１９】
勾配磁場コイル組立体５０は、中空のボア１６０を含む。中空のボア１６０は、患者テーブルと患者を収容することが可能な患者配置エリアを含むように構成することができる。以下で、患者は新生児または乳児として描写する。しかし、他の年齢および／または大きさの患者の人口統計が、本開示の範囲内で想定し得ることを理解するべきである。中空のボア１６０は軸Ａ−Ａ’に沿って延在し、内径Ｒｉが境界を定める。
【００２０】
勾配磁場コイル組立体５０は、挿管用チャネル１７０を含むことができる。挿管用チャネル１７０は、患者と接続した挿管装置および／または通気装置（示さず）を収容するよう構成される。挿管装置は、チューブを含むことができるが、それに限定されない。
【００２１】
図２と図３に描写しているように、挿管用チャネル１７０はＲｉとＲｏの間に境界を引かれたクロスハッチがなされているボリュームであり、勾配磁場コイル組立体５０の長さＣにわたり延在している。図４と図５には、勾配磁場コイル組立体５０の上面図が、２つの実施形態により示されている。これらの図面でも同様に、挿管用チャネル１７０がクロスハッチングによって描写されている。
【００２２】
図２と図４に示す実施形態で、挿管用チャネル１７０が、実質的に勾配磁場コイル組立体５０の長さＬ全体に沿って延在する。この実施形態で、挿管用チャネル１７０の長さＣは、勾配磁場コイル組立体５０の長さＬと実質的に等しい。しかし、挿管用チャネル１７０は種々の長さＣが構想し得ることを理解するべきである。例えば、図３と図５に描写しているように、挿管用チャネル１７０は勾配磁場コイル組立体５０の長さＬの一部にわたり延在していてもよい。この実施形態で、挿管用チャネル１７０の長さＣは、勾配磁場コイル組立体５０の長さＬ未満である。
【００２３】
図６を参照すると、軸Ａ−Ａ’に垂直な勾配磁場コイル組立体５０の断面図が、実施形態により示されている。勾配磁場コイル組立体５０は、複数の勾配磁場コイル１５２を含む。複数の勾配磁場コイル１５２は、Ｘ−勾配磁場コイル１８０、Ｙ−勾配磁場コイル１９０、およびＺ−勾配磁場２００コイルを含むことができる。Ｘ−勾配磁場コイル１８０は、内側の主要な層１８２と外側の遮蔽層１８４を含むことができる。Ｙ−勾配磁場コイル１９０は内側の主要な層１９２と外側の遮蔽層１９４を含むことができる。Ｚ−勾配磁場コイル２００は、内側の主要な層２０２、および外側の遮蔽層２０４を含むことができる。複数の勾配磁場コイル１５２は、内径Ｒｉと関係がある内側の周と、Ｒｏと関係がある外側の周とを含む。
【００２４】
描写された実施形態で、勾配磁場コイル組立体５０は挿管用チャネル１７０を含む。挿管用チャネル１７０は内径Ｒｉと外径Ｒｏの間で境界が定められる場所であり、Ｘ−勾配磁場コイル１８０、Ｙ−勾配磁場コイル１９０、およびＺ−勾配磁場コイル２００を貫くように半径方向に延在している。この実施形態で、複数の勾配磁場コイル１５２の内側の周と外側の周が両方共途切れており、勾配磁場コイル組立体５０の断面は実質的にＣ字形である。
【００２５】
図７を参照すると、勾配磁場コイル組立体５０の断面図が、別の実施形態により示されている。図６に描写した実施形態に類似して、複数の勾配磁場コイル１５２は、Ｘ−勾配磁場コイル１８０、Ｙ−勾配磁場コイル１９０、およびＺ−勾配磁場コイル２００を含む。Ｘ−勾配磁場コイル１８０は、内側の主要な層１８２と外側の遮蔽層１８４を含むことができる。Ｙ−勾配磁場コイル１９０は、内側の主要な層１９２と外側の遮蔽層１９４を含むことができる。勾配磁場コイル組立体５０は挿管用チャネル１７０を含む。この実施形態で、挿管用チャネル１７０がＸ−勾配磁場コイル１８０とＹ−勾配磁場コイル組立体を貫くように半径方向に延在するが、Ｚ−勾配磁場コイル２００を貫くようには延在しない。そのために、複数の勾配磁場コイル１５２の外側の周が一続きになっているのに対し、複数の勾配磁場コイル１５２の内側の周は、途切れている。一続きの外側の周は、勾配磁場コイル組立体５０の全体構造を強くして、その上画質を改善するように構成される。
【００２６】
図８を参照すると、勾配磁場コイル組立体５０の断面図が、さらに別の実施形態により示される。複数の勾配磁場コイル１５２は、Ｘ−勾配磁場コイル１８０、Ｙ−勾配磁場コイル１９０、およびＺ−勾配磁場コイル２００を含む。Ｘ−勾配磁場コイル１８０は、内側の主要な層１８２と外側の遮蔽層１８４を含むことができる。Ｙ−勾配磁場コイル１９０は、内側の主要な層１９２と外側の遮蔽層１９４を含むことができる。Ｚ−勾配磁場コイル２００は、内側の主要な層２０２と外側の遮蔽層２０４を含むことができる。図８で描写された実施形態に示すように、挿管用チャネル１７０は主要な層１８２、１９２、２０２を貫くように半径方向に延在するが、遮蔽層１８４、１９４、２０４を貫くようには延在しない。この実施形態では、複数の勾配磁場コイル１５２の内側の周は途切れている一方で、複数の勾配磁場コイル１５２の他方の周が一続きになっている。一続きの外側の周は、勾配磁場コイル組立体５０の全体構造を強くして、その上画質を改善するように構成される。
【００２７】
図９を参照すると、勾配磁場コイル組立体５０の断面図が別の実施形態により示される。複数の勾配磁場コイル１５２は、Ｘ−勾配磁場コイル１８０、Ｙ−勾配磁場コイル１９０、およびＺ−勾配磁場コイル２００を含む。Ｘ−勾配磁場コイル１８０は、内側の主要な層１８２と外側の遮蔽層１８４を含む。Ｙ−勾配磁場コイル１９０は、内側の主要な層１９２と外側の遮蔽層１９４を含む。Ｚ−勾配磁場コイル２００は、内側の主要な層２０２と外側の遮蔽層２０４を含む。また、勾配磁場コイル組立体５０は、分離層２１０を含むことができる。分離層２１０は、冷却材、シミング材料、またはその組み合わせを含むことができる。図９に描写した実施形態に示すように、挿管用チャネル１７０が主要な層１８２、１９２、２０２、分離層２１０、および遮蔽層１８４と１９４を貫くように半径方向に延在するが、挿管は遮蔽層２０４を貫くようには延在しない。一続きの遮蔽層２０４は、勾配磁場コイル組立体５０の全体構造を強くして、その上画質を改善するように構成される。
【００２８】
挿管用チャネル１７０の他のさまざまな実施形態を本開示の範囲内に想定することができることは、理解するべきである。例えば、挿管用チャネルは長さＣに沿って一様に大きさおよび／または形を定めなくてもよい。
【００２９】
また、勾配磁場コイル組立体５０の挿管用チャネル１７０を種々の方法で形成することができることは理解するべきである。例えば、勾配磁場コイル１８０、１９０、および２００は、当技術分野で公知の平面の勾配磁場コイルに類似したフィンガープリントのパターンを含むことができ、挿管用チャネル１７０は、Ｃ字形をした断面で勾配磁場コイル１８０、１９０、２００の少なくとも１つの端部を接続することではなく、軸Ａ−Ａ’に関して勾配磁場コイル１８０、１９０、２００を曲げることによって、形成することができる。別の例で、挿管用チャネル１７０をＸ−勾配磁場コイル１８０とＹ−勾配磁場コイル１９０を元来の軸から回転させて形成してもよい。さらに別の例で、従来のフィンガープリントパターンを、パターンの真ん中に空隙を作ることによって、半分に分けてもよい。これによって、従来の勾配磁場コイルにおけるフィンガープリントのパターンの設計のように２つになるのではなく、３つまたは４つのフィンガープリントパターンを有する結果をもたらす。
【００３０】
挿管用チャネル１７０を含む勾配磁場コイル組立体５０は、臨床家と患者に多数の利益をもたらす。挿管用チャネル１７０は、挿管装置のためにより広い空間をとれるようにすることで、使用者がボア１６０で新生児の患者を位置付けるために、より容易にアクセスできるようになる。また挿管用チャネル１７０は、ボア１６０の気流の増加を可能にし、ＣＯ２がボア１６０を出る路を設けるため、潜在的なＣＯ２増加を減少させることによって、患者の安全性を高める。ボア１６０の代わりに挿管用チャネル１７０に挿管装置を収容することで、５ｃｍの磁石の大きさと同様、Ｒｉとボアの大きさが軽減できる。より小型の磁石になることで、画質の改善、半径方向と軸方向の双方の方向における浮遊磁場の減少、システムのコスト低下がもたらされる。
【００３１】
この記述された説明は、最良の形態を含んだ例を使用し、その例は、本発明を開示し、また任意の当業者が本発明を実施できるようにするためのもの、例えば任意のデバイスまたはシステムを作成および使用し、任意の組み込まれた方法を実行するためのものである。本発明の特許可能な範囲は、特許請求の範囲によって規定され、当業者が浮かぶ他の例を含むことができる。そのような他の例は、特許請求の範囲の言いまわしの字義と異ならない構造的要素を有する場合や、特許請求の範囲の言いまわしの字義との実質的でない相違点を有する均等な構造要素を含む場合、請求項の範囲内にあることが意図される。
【符号の説明】
【００３２】
１０  ＭＲＩシステム
１２  オペレータコンソール
１３  入力デバイス
１４  制御パネル
１６  ディスプレイ
１８  リンク
２０  計算機システム
２０ａ  バックプレーン
２２  画像処理プロセッサモジュール
２４  ＣＰＵモジュール
２６  メモリモジュール
３２  システム制御計算機
３２ａ  電気接続および／またはデータ接続、データ接続
３４  リンク
３６  ＣＰＵモジュール
３８  パルス発生器モジュール
４０  通信リンク
４２  勾配磁場増幅器システム
４４  生理学的収集制御器
４６  スキャン・ルーム・インタフェース回路
４８  患者配置システム
５０  勾配磁場コイル組立体
５２  共鳴用組立体
５４  超伝導主要コイル
５６  ＲＦコイル、ＲＦコイル組立体のコイル
５８  トランスシーバモジュール
６０  ＲＦ増幅器
６２  送信／受信スイッチ
６４  前置増幅器
６６  メモリモジュール
６８  アレイプロセッサ
７０  患者または画像診断の対象
７２  患者画像診断ボリューム
７６  画像診断コイル、ＲＦコイル組立体のコイル、ＲＦコイル、平行または表面コイル
１５１  アイソセンター
１５２  複数の勾配磁場コイル
１６０  中空のボア、ボア
１７０  挿管用チャネル
１８０  Ｘ−勾配磁場コイル
１８２  主要な層
１８４  遮蔽層
１９０  Ｙ−勾配磁場コイル
１９２  主要な層
１９４  遮蔽層
２００  Ｚ−勾配磁場コイル
２０２  主要な層
２０４  遮蔽層
２１０  分離層
【図１】
2017528233.tif 000003
【図２】
2017528233.tif 000004
【図３】
2017528233.tif 000005
【図４】
2017528233.tif 000006
【図５】
2017528233.tif 000007
【図６】
2017528233.tif 000008
【図７】
2017528233.tif 000009
【図８】
2017528233.tif 000010
【図９】
2017528233.tif 000011
【国際調査報告】
2017528233.tif 000012
2017528233.tif 000013